(57)【要約】【課題】玉掛け用ロープ等の吊下げ用ロープの損傷を防止することができるロープ用プロテクタを提供することである。【解決手段】ロープＢの側方からそのロープＢの外側に装着可能な柔軟性を有する断面円弧状のプロテクタ本体１の内面に面ファスナ１０を形成する一対のファスナテープ１１ａ、１１ｂの一方を取付け、他方のファスナテープ１１ｂの一側部をプロテクタ本体１の一側部に重ね合わせて縫着により一体化する。ロープＢの外周に一方のファスナテープ１１ｂを巻き付けてファスナエレメント１２ｂを表面に露出させ、その外側にプロテクタ本体１を嵌合し、そのプロテクタ本体１を握り締めて、内面に固定した一方のファスナテープ１１ａと他方のファスナテープ１１ｂのファスナエレメント１２ａ、１２ｂの係合により、プロテクタを装着状態に保持し、そのプロテクタによってロープＢの保護を図る。【選択図】図１
2008297041.tif 000002
【特許請求の範囲】
【請求項１】
吊りワイヤロープの側方からその吊りワイヤロープの外側に装着可能な柔軟性を有する断面円弧状のプロテクタ本体と、そのプロテクタ本体を装着状態に保持する面ファスナとからなり、前記面ファスナがファスナエレメントを片面に有するプロテクタ本体と略同じ長さの一対のファスナテープを備え、一方のファスナテープをそのファスナエレメントが内側となるようプロテクタ本体の内周面に沿わせて取付け、他方のファスナテープの一側部をプロテクタ本体の一側部に重ね合わせて縫着により一体化して、その他方のファスナテープをプロテクタ本体上への折り返し状態でファスナエレメントが一方のファスナテープのファスナエレメントと同一の向きとなるようにしたロープ用プロテクタ。
【請求項２】
前記プロテクタ本体を断面円弧状に折り曲げた状態で一方のファスナテープの両側縁部をプロテクタ本体に縫着して、プロテクタ本体を断面円弧状に保持するようにした請求項１に記載のロープ用プロテクタ。
【発明の詳細な説明】
【技術分野】
【０００１】
この発明は、玉掛け用ロープ等の吊りワイヤロープの保護を図るロープ用プロテクタに関するものである。
【背景技術】
【０００２】
吊り荷の周囲に吊りワイヤロープ（以下、単にロープという）を玉掛けし、そのロープをクレーンのフックに掛けて目的位置に吊下げ状態で搬送することは従来から普通に行われている。
【０００３】
上記のようなクレーンによる荷役の搬送に際し、吊り荷がずれ動くとロープあるいは吊り荷が接触部において損傷し、また、吊り荷が落下する危険があるため、ロープと吊り荷の接触部にパッドを介在させて、安全性の確保と、ロープおよび吊り荷の保護を図ることが行われている。
【発明の開示】
【発明が解決しようとする課題】
【０００４】
ところで、パッドを用いるロープあるいは吊り荷の保護対策においては、吊り荷の周囲に掛け渡したロープを緩めた状態で吊り荷のロープ接触部位にパッドを当て、そのパッドを人手により支える装着状態でロープを引き上げる必要があるため、吊り荷が大きい場合に多くの作業者が必要となり、また、ロープの引き上げ時に、ロープと吊り荷との間に手先が挟み込まれる危険がある。
【０００５】
この発明の課題は、玉掛け用ロープ等の吊下げ用ロープの損傷を防止することができると共に、玉掛けされる吊り荷が大きい場合でも、ロープと吊り荷の接触部位の保護作業を一人の作業者によって充分に対応することができるようにしたロープ用プロテクタを提供することである。
【課題を解決するための手段】
【０００６】
上記の課題を解決するために、この発明においては、吊りワイヤロープの側方からその吊りワイヤロープの外側に装着可能な柔軟性を有する断面円弧状のプロテクタ本体と、そのプロテクタ本体を装着状態に保持する面ファスナとからなり、前記面ファスナがファスナエレメントを片面に有するプロテクタ本体と略同じ長さの一対のファスナテープを備え、一方のファスナテープをそのファスナエレメントが内側となるようプロテクタ本体の内周面に沿わせて取付け、他方のファスナテープの一側部をプロテクタ本体の一側部に重ね合わせて縫着により一体化して、その他方のファスナテープをプロテクタ本体上への折り返し状態でファスナエレメントが一方のファスナテープのファスナエレメントと同一の向きとなるようにした構成を採用したのである。
【０００７】
上記の構成からなるロープ用プロテクタにおいて、プロテクタ本体の一側部に縫着された他方のファスナテープを、そのファスナエレメントが設けられていない面がロープと接触するようにしてロープの保護対象部位に巻き付け、ファスナエレメントを表面に露出させた状態でその外側にプロテクタ本体を嵌合して全長にわたり握り締めることにより、内面側に取付けられた一方のファスナテープとロープに巻き付けられた他方のファスナテープのファスナエレメントが互いに係合し、その係合によりプロテクタは装着状態に保持されることになり、上記プロテクタによってロープの保護を図ることができる。
【０００８】
ここで、プロテクタ本体を断面円弧状に折り曲げた状態で一方のファスナテープの両側縁部をプロテクタ本体に縫着することにより、柔軟性を有するプロテクタ本体を断面円弧状に保持することができる。
【発明の効果】
【０００９】
上記のように、この発明に係るロープ用プロテクタにおいては、プロテクタ本体の一側部に縫着したファスナテープのファスナエレメントが設けられていない面をロープの保護対象部位に巻き付けるとファスナエレメントが表面に現れ、そのファスナテープの外側にプロテクタ本体を嵌合して握り締めることにより一対のファスナテープが互いに係合して、ロープ用プロテクタは装着状態に保持されるため、そのロープ用プロテクタによってロープのプロテクタ装着部位の損傷を確実に防止することができる。
【００１０】
また、ロープの外周に対する他方のファスナテープの巻き付けと、その他方のファスナテープの外側に対するプロテクタ本体の嵌合によってロープの保護対象部位にプロテクタを取り付けることができるため、取付けが容易であってずれ動きのない安定した取付け状態を得ることができる。このため、玉掛けされる吊り荷が大きい場合でも、その吊り荷とロープの接触部位の保護作業を一人の作業者によって対応することができる。
【発明を実施するための最良の形態】
【００１１】
以下、この発明の実施の形態を図面に基づいて説明する。図１乃至図３に示すように、この発明に係るロープ用プロテクタは、ロープの側方からそのロープの外側に装着される帯状のプロテクタ本体１と、そのプロテクタ本体１を装着状態に保持する面ファスナ１０とからなる。
【００１２】
プロテクタ本体１は、玉掛け用ベルトスリング又はラッシングベルトの原反のように、ポリエステル又はナイロン繊維等からなる厚手の複数枚の布地をとじ糸により積層した積層体等から形成されてロープの外側に添接可能な柔軟性を有している。
【００１３】
面ファスナ１０は、一対のファスナテープ１１ａ、１１ｂを有し、各ファスナテープ１１ａ、１１ｂの片面に互いに係合可能なファスナエレメント１２ａ、１２ｂが設けられている。ここで、ファスナエレメント１２ａ、１２ｂは、フックとループからなるものであってもよく、あるいは、マッシュルームフックあるいはプラスチックフックからなるものであってもよい。
【００１４】
面ファスナ１０は、プロテクタ本体１と略同じ長さとされ、その面ファスナ１０における一方のファスナテープ１１ａはプロテクタ本体１の上面側に配置されて両側部の縫着によりプロテクタ本体１と一体化されている。
【００１５】
この場合、一方のファスナテープ１１ａは、プロテクタ本体１を断面円弧状に曲げた状態で両側部が縫着され、その縫着によってプロテクタ本体１は断面円弧状の曲げ状態に保持されている。
【００１６】
また、一方のファスナテープ１１aは、ファスナエレメント１２ａを上向き（内向き）とする状態で両側部が縫着されてプロテクタ本体１に一体化されている。
【００１７】
なお、実施の形態では、上記のように、ファスナテープ１１ａの縫着によってプロテクタ本体１を断面円弧状の曲げ状態に保持するようにしたが、プロテクタ本体１の片面の繊維を熱収縮させて断面円弧状とし、その内周面にファスナテープ１１ａを面接触させて、そのファスナテープ１１ａの両側部を縫着するようにしてもよい。
【００１８】
他方のファスナテープ１１ｂは、その一方の側縁部がプロテクタ本体１の一側部に重ね合わされ、その重なり部の縫着によってプロテクタ本体１に一体化されている。この場合、他方のファスナテープ１１ｂは、ファスナエレメント１２ｂを下向きとしてプロテクタ本体１に一体化されている。すなわち、その他方のファスナテープ１１ｂをプロテクタ本体１の上面側に折り返した状態でファスナエレメント１２ｂが一方のファスナテープ１１ａのファスナエレメント１２ａと同一の向きとなるようにプロテクタ本体１に一体化されている。
【００１９】
実施の形態で示すロープ用プロテクタは上記の構造からなり、図５に示すように、吊り荷Ａの周囲に吊りロープＢを掛け渡し、そのロープＢをクレーンのフックＣに掛けて目的位置に搬送する場合は、ロープＢの吊り荷Ａの角と対向する部位にプロテクタを取付けて接触部を保護する。
【００２０】
プロテクタの取付けに際しては、図４に示すように、ロープＢの周囲に他方のファスナテープ１１ｂを巻き付ける。この場合、ファスナテープ１１ｂのファスナエレメント１２ｂが形成されていない面がロープＢと接触するようにしてロープＢの外側にファスナテープ１１ｂを巻き付け、その巻き付け後、その外側にプロテクタ本体１を嵌合し、そのプロテクタ本体１を全長にわたって握り締めるようにする。
【００２１】
上記の取付け作業において、ファスナテープ１１ｂのファスナエレメント１２ｂが形成されていない面をロープＢと接触するようにしてロープＢの外側にファスナテープ１１ｂを巻き付けることにより、ファスナエレメント１２ｂが表面に現れる。そして、そのファスナテープ１１ｂの外側にプロテクタ本体１を嵌合して握り締めることにより、図６および図７に示すように、一対のファスナテープ１１ａ、１１ｂのファスナエレメント１２ａ、１２ｂが互いに係合し、プロテクタは取付け状態とされる
【００２２】
上記のようにして、ロープＢの吊り荷Ａの角と対向する部位にプロテクタを取付けることにより、吊り荷Ａの吊り下げ搬送時、プロテクタが吊り荷Ａと接触すると共に、吊り荷Ａの外周の角に沿って折れ曲がることになるため、吊り荷Ａの角にロープＢが接触するのを防止することができ、吊り荷ＡとロープＢの破損を防止することができる。
【００２３】
また、プロテクタは、ロープＢの外周に対する他方のファスナテープ１１ｂの巻き付けと、その他方のファスナテープ１１ｂの外側に対するプロテクタ本体１の嵌合後の握り締めによる取付けであるため、取付けが容易であってずれ動きのない安定した取付け状態を得ることができる。このため、玉掛けされる吊り荷Ａが大きい場合でも、その吊り荷ＡとロープＢの接触部位の保護作業を一人の作業者によって対応することができる。
【００２４】
なお、実施の形態では、プロテクタによる保護対象を玉掛け用ロープとしたが、保護対象は玉掛け用ロープに限定されるものではない。例えば、メンテナンスが頻繁に行われるエレベータの籠吊下げ用のロープであってもよい。
【図面の簡単な説明】
【００２５】
【図１】この発明に係るロープ用プロテクタの実施の形態を示す斜視図
【図２】図１の平面図
【図３】図２のIII−III線に沿った断面図
【図４】他方のファスナテープをロープに巻き付けた状態の断面図
【図５】玉掛け用ロープにプロテクタを装着して吊り荷を吊下げ搬送している状態の正面図
【図６】ロープにプロテクタを装着した状態の断面図
【図７】図６の平面図
【符号の説明】
【００２６】
Ｂ      ロープ
１      プロテクタ本体
１０    面ファスナ
１１ａ  ファスナテープ
１１ｂ  ファスナテープ
１２ａ  ファスナエレメント
１２ｂ  ファスナエレメント
【図１】
2008297041.tif 000003
【図２】
2008297041.tif 000004
【図３】
2008297041.tif 000005
【図４】
2008297041.tif 000006
【図５】
2008297041.tif 000007
【図６】
2008297041.tif 000008
【図７】
2008297041.tif 000009